(57)【要約】【課題】既設の孔を利用して、確実にスイッチギアを固定すること。【解決手段】治具本体１１０と位置固定部材１２０とを備えたロック治具１００を構成した。治具本体１１０は、長さ方向における途中部分で直角に屈曲したアングル形状をなし、屈曲により内側に位置する面において長さ方向に沿って突出部と没入部とが同一ピッチで交互に出現する波形形状をなす第１の係合部１１３と、治具本体１１０のアングル形状をなす２面にそれぞれ設けられて当該治具本体１１０を板厚方向に貫通し長さ方向に長い第１の貫通孔１１４と、を備える。位置固定部材１２０は、板形状をなし、一面において一方向に沿って第１の係合部と同一ピッチで突出部と没入部とが交互に出現する波形形状をなす第２の係合部１２１と、板厚方向に貫通する第２の貫通孔１２２と、を備える。【選択図】図３
2020124095.tif 000002
【特許請求の範囲】
【請求項１】
長さ方向における途中部分で直角に屈曲したアングル形状をなし、屈曲により内側に位置する面において長さ方向に沿って突出部と没入部とが同一ピッチで交互に出現する波形形状をなす第１の係合部と、前記治具本体のアングル形状をなす２面にそれぞれ設けられて当該治具本体を板厚方向に貫通し前記長さ方向に長い第１の貫通孔と、を備えた治具本体と、
板形状をなし、一面において一方向に沿って前記第１の係合部と同一ピッチで突出部と没入部とが交互に出現する波形形状をなす第２の係合部と、板厚方向に貫通する第２の貫通孔と、を備えた複数の位置固定部材と、
を備えたことを特徴とするロック治具。
【請求項２】
前記第１の係合部および前記第２の係合部は、先端側ほど尖り根元側ほど幅広となる略三角形状をなす突出部と没入部とが同一ピッチで交互に出現する波形形状をなすことを特徴とする請求項１に記載のロック治具。
【請求項３】
前記第１の係合部および前記第２の係合部は、先端側と根元側とが同寸法の矩形状をなす突出部と没入部とが同一ピッチで交互に出現する波形形状をなすことを特徴とする請求項１に記載のロック治具。
【請求項４】
前記位置固定部材は、突出部と没入部との出現方向に直交する方向における２カ所で屈曲した略コの字形状をなし、屈曲により内側に位置する面における少なくとも中央の面に前記第２の係合部を備えたことを特徴とする請求項１〜３のいずれか一つに記載のロック治具。
【請求項５】
前記治具本体は、少なくとも一方の側面に前記第１の係合部を備え、
前記位置固定部材は、屈曲により内側に位置する面であって、前記治具本体における前記第１の係合部が設けられた側面に対向する面に前記第２の係合部を備えたことを特徴とする請求項４に記載のロック治具。
【請求項６】
前記治具本体は、両側面に前記第１の係合部を備え、
前記位置固定部材は、屈曲により内側に位置するすべての面に前記第２の係合部を備えたことを特徴とする請求項４に記載のロック治具。
【請求項７】
前記第２の貫通孔は、固定対象とするスイッチギアに設けられた、固定用の孔の内径寸法よりも大きく、当該固定用の孔に螺合されるボルトの頭部の直径寸法よりも小さい寸法で開口することを特徴とする請求項１〜６のいずれか一つに記載のロック治具。
【発明の詳細な説明】
【技術分野】
【０００１】
この発明は、スイッチギアの位置を固定するロック治具に関する。
【背景技術】
【０００２】
スイッチギアは、ハウジング内に、遮断器・避雷器・計器用変圧器・所内変圧器などの各種の機器を備えている。スイッチギアが備える各種の機器は、ハウジングから引き出し可能に収容されており、たとえば、定期点検などに際して、ハウジングから引き出される。スイッチギアが備える各種の機器は、通常運転時にはハウジング内に挿入された挿入位置（通常位置）に位置づけられている。
【０００３】
このようなスイッチギアは、各種の機器を挿入位置に位置づけた状態で固定する引出ロック機構を備えている。これにより、各種の機器が不用意にハウジングの外に引き出されることを防止している。従来、大地震などが発生した場合を想定し、引出ロック機構に加えて、Ｌ形治具を用いて、スイッチギアが備える各種の機器を、挿入位置に位置づけた状態で固定するようにしていた。
【０００４】
このようなＬ形治具は、スイッチギアに設けられた既設の孔を利用してスイッチギアに固定される。具体的に、Ｌ形治具は、Ｌ形治具における直角をなす２面のうちの一方の面に設けられた貫通孔をスイッチギアに設けられた既設の孔にあわせるとともに、２面のうちの他方の面に設けられた貫通孔をスイッチギアを下方から支持するチャンネルベースに設けられた既設の孔にあわせ、各貫通孔および既設の孔にそれぞれボルトを螺合させることによってスイッチギアに取り付けられる。これにより、スイッチギアが備える各種の機器を、挿入位置に位置づけた状態で固定するようにしていた。
【０００５】
関連する技術として、具体的には、従来、たとえば、多角形状をなす首部（角根部）を有する丸頭角根ボルトと、丸頭角根ボルトの軸部に螺合されるナットと、丸頭角根ボルトの軸部の長さ方向に突出する係止部を備えた外れ防止板と、を備えた固定治具、および、だるま孔を有し、丸頭角根ボルトにおける頭部とナットとの間に挟持される板材によって実現される配電盤用転倒防止具を用いて、係止部をだるま孔に係合させた状態でナットをボルトに螺合させることによって、作業者の手が入らないような場所であっても配電盤などの運搬時における転倒事故を防止するようにした技術があった（たとえば、下記特許文献１を参照。）。
【先行技術文献】
【特許文献】
【０００６】
【特許文献１】特開２０１３−１２１２５７号公報
【発明の概要】
【発明が解決しようとする課題】
【０００７】
しかしながら、スイッチギアに設けられた既設の孔の位置は、機種や型式などの違いに起因してスイッチギアごとに異なっているため、上述したように既設の孔を利用してＬ形治具を取り付ける従来の技術は、スイッチギアごとに既設の孔の位置にあわせたＬ形治具を用いなければならず、煩わしいという問題があった。
【０００８】
この発明は、上述した従来技術による問題点を解消するため、既設の孔を利用して、確実にスイッチギアを固定することができるロック治具を提供することを目的とする。
【課題を解決するための手段】
【０００９】
上述した課題を解決し、目的を達成するため、この発明にかかるロック治具は、長さ方向における途中部分で直角に屈曲したアングル形状をなし、屈曲により内側に位置する面において長さ方向に沿って突出部と没入部とが同一ピッチで交互に出現する波形形状をなす第１の係合部と、前記治具本体のアングル形状をなす２面にそれぞれ設けられて当該治具本体を板厚方向に貫通し前記長さ方向に長い第１の貫通孔と、を備えた治具本体と、板形状をなし、一面において一方向に沿って前記第１の係合部と同一ピッチで突出部と没入部とが交互に出現する波形形状をなす第２の係合部と、板厚方向に貫通する第２の貫通孔と、を備えた複数の位置固定部材と、を備えたことを特徴とする。
【００１０】
また、この発明にかかるロック治具は、上記の発明において、前記第１の係合部および前記第２の係合部が、先端側ほど尖り根元側ほど幅広となる略三角形状をなす突出部と没入部とが同一ピッチで交互に出現する波形形状をなすことを特徴とする。
【００１１】
また、この発明にかかるロック治具は、上記の発明において、前記第１の係合部および前記第２の係合部が、先端側と根元側とが同寸法の矩形状をなす突出部と没入部とが同一ピッチで交互に出現する波形形状をなすことを特徴とする。
【００１２】
また、この発明にかかるロック治具は、上記の発明において、前記位置固定部材が、突出部と没入部との出現方向に直交する方向における２カ所で屈曲した略コの字形状をなし、屈曲により内側に位置する面における少なくとも中央の面に前記第２の係合部を備えたことを特徴とする。
【００１３】
また、この発明にかかるロック治具は、上記の発明において、前記治具本体が、少なくとも一方の側面に前記第１の係合部を備え、前記位置固定部材が、屈曲により内側に位置する面であって、前記治具本体における前記第１の係合部が設けられた側面に対向する面に前記第２の係合部を備えたことを特徴とする。
【００１４】
また、この発明にかかるロック治具は、上記の発明において、前記治具本体が、両側面に前記第１の係合部を備え、前記位置固定部材が、屈曲により内側に位置するすべての面に前記第２の係合部を備えたことを特徴とする。
【００１５】
また、この発明にかかるロック治具は、上記の発明において、前記第２の貫通孔が、固定対象とするスイッチギアに設けられた、固定用の孔の内径寸法よりも大きく、当該固定用の孔に螺合されるボルトの頭部の直径寸法よりも小さい寸法で開口することを特徴とする。
【発明の効果】
【００１６】
この発明にかかるロック治具によれば、既設の孔を利用して、確実にスイッチギアを固定することができるという効果を奏する。
【図面の簡単な説明】
【００１７】
【図１】この発明にかかる実施の形態のロック治具の構成を示す説明図（その１）である。
【図２】この発明にかかる実施の形態のロック治具の構成を示す説明図（その２）である。
【図３】この発明にかかる実施の形態のロック治具の構成を示す説明図（その３）である。
【図４】この発明にかかる実施の形態のロック治具の使用例を示す説明図である。
【図５】この発明にかかる実施の形態のロック治具の別の使用例を示す説明図である。
【図６】この発明にかかる実施の形態２のロック治具の構成を示す説明図（その１）である。
【図７】この発明にかかる実施の形態２のロック治具の構成を示す説明図（その２）である。
【図８】この発明にかかる実施の形態２のロック治具の構成を示す説明図（その３）である。
【発明を実施するための形態】
【００１８】
以下に添付図面を参照して、この発明にかかるロック治具の好適な実施の形態を詳細に説明する。
【００１９】
＜実施の形態１＞
（ロック治具の構成）
まず、この発明にかかる実施の形態１のロック治具の構成について説明する。図１〜図３は、この発明にかかる実施の形態１のロック治具の構成を示す説明図である。図１においては、この発明にかかる実施の形態１のロック治具を分解した斜視状態を示している。図２においては、この発明にかかる実施の形態１のロック治具の一部を示している。図３においては、この発明にかかる実施の形態１のロック治具の外観を示している。
【００２０】
図１〜図３において、この発明にかかる実施の形態１のロック治具１００は、治具本体１１０と、位置固定部材１２０と、ボルト１３０と、を備えている。治具本体１１０は、長さ方向における途中部分で直角に屈曲したアングル形状をなす。以降、この実施の形態１においては、治具本体１１０において、屈曲部分から一方側に延出する部分を第１の本体部１１１、屈曲部分から他方側に延出する部分を第２の本体部１１２として説明する。
【００２１】
治具本体１１０において、第１の本体部１１１と第２の本体部１１２とは、それぞれ、略平板形状をなす。治具本体１１０において、屈曲することにより内側に位置する２面、および、外側に位置する２面は、いずれも直角をなしている。
【００２２】
治具本体１１０は、第１の係合部１１３を備えている。第１の係合部１１３は、治具本体１１０において内側に位置する２面に、それぞれ設けられている。第１の係合部１１３は、直角をなす２面が連続する方向（以下、適宜「治具本体１１０の長さ方向」という）に沿って、突出部（山）と没入部（谷）とが交互に出現する波形形状をなす。
【００２３】
第１の係合部１１３における波形形状は、治具本体１１０の長さ方向に沿って一定のピッチで、突出部と没入部とが繰り返して交互に出現する。また、第１の係合部１１３における波形形状は、突出部の高さおよび没入部の深さが一定に揃えられている。第１の係合部１１３における突出部および没入部は、直角をなす２面の各面に平行であって治具本体１１０の長さ方向に直交する方向（以下、適宜「治具本体１１０の幅方向」という）に沿って一定の幅で設けられている。
【００２４】
第１の係合部１１３は、幅方向に沿って治具本体１１０を見た場合に、先端側ほど尖り根元側ほど幅広となる略三角形状をなす突出部と没入部とが同一ピッチで交互に出現する波形形状をなす。突出部の先端は没入部の開口縁をなし、突出部の根本は没入部の底をなす。このため、没入部は、底側ほど幅が狭くなり開口側ほど幅広の溝をなす。
【００２５】
治具本体１１０において、第１の本体部１１１および第２の本体部１１２には、それぞれ、板厚方向に沿って治具本体１１０を貫通する第１の貫通孔１１４が設けられている。第１の貫通孔１１４は、第１の本体部１１１と第２の本体部１１２とが連続する方向に沿って長い長孔形状をなす。
【００２６】
位置固定部材１２０は、所定の厚さの板形状をなす。位置固定部材１２０は、４辺によって囲まれた方形状をなし、相対する２組の辺のうち少なくとも１組の辺の長さ寸法が、治具本体１１０の幅寸法と同等とされている。位置固定部材１２０の一面には、第２の係合部１２１が設けられている。第２の係合部１２１は、位置固定部材１２０の一面において、第１の係合部１１３における第１の係合部と同一ピッチで突出部と没入部とが一方向に沿って交互に出現する波形形状をなす。
【００２７】
位置固定部材１２０には、当該位置固定部材１２０を板厚方向に貫通する第２の貫通孔１２２が設けられている。第２の貫通孔１２２は、たとえば、ロック治具１００による固定対象とするスイッチギア（図４および図５を参照）に既設の孔の内径寸法と同寸法、あるいは、既設の孔の内径寸法よりも大きくボルト１３０の頭部１３１の直径寸法よりも小さい寸法で開口している。
【００２８】
（ロック治具１００の使用例）
つぎに、この発明にかかる実施の形態１のロック治具１００の使用例について説明する。図４は、この発明にかかる実施の形態１のロック治具１００の使用例を示す説明図である。図４に示すように、この発明にかかる実施の形態１のロック治具１００は、スイッチギア４００の位置を固定するために用いられる。
【００２９】
スイッチギア４００は、ハウジング４０１内に、変電所から引き込まれた電力を供給する電力ケーブルや、当該電力ケーブルに接続される遮断器・避雷器・計器用変圧器・所内変圧器などの各種の機器を備えている（いずれも図示を省略する）。ハウジング４０１の内部は、隔壁などによって電力ケーブルや変圧器を収容するケーブル室、遮断器を収容する遮断器室などのように複数に区画されている。
【００３０】
スイッチギア４００が備える各種の機器は、ハウジング４０１から引き出し可能に収容されている。スイッチギア４００が備える各種の機器は、たとえば、定期点検などに際して、ハウジング４０１から引き出される。ハウジング４０１には、スイッチギア４００が備える機器を引き出す際に把持するハンドル４０２が設けられている。
【００３１】
スイッチギア４００が備える各種の機器のうち、ハウジング４０１から引き出し可能な機器の下側には、各種の機器をハウジング４０１から引き出すことを想定し、下側にキャスターなどが設けられている。このため、たとえば、大地震などが発生して、各種の機器に対してハウジング４０１の外に押し出す外力が加えられた場合、各種の機器がハウジング４０１から飛び出してしまうことが想定される。各種の機器は、重量が大きいため、一旦動き始めてしまうと容易に抑えることは難しい。
【００３２】
また、スイッチギア４００においては既設の引出ロック機構を備えたものがあるが、このような既設の引出ロック機構は、各種の機器が動いてしまうほどの大地震などを想定したものではなく、既設の引出ロック機構のみによって各種の機器の移動を抑えようとしても、一旦動き出してしまった各種の機器を抑えることは難しく、破損してしまうおそれがあった。この発明にかかる実施の形態１のロック治具１００は、既設の引出ロック機構を備えていないスイッチギア４００の他、上記のように、既設の引出ロック機構を備えたスイッチギア４００にも適用することができる。
【００３３】
具体的には、ロック治具１００は、たとえば、図４に示すようにしてスイッチギア４００に取り付けて使用する。具体的には、まず、治具本体１１０の外側に位置する２面のうちの一方の面をスイッチギア４００の正面に当接させ、２面のうちの他方の面をスイッチギア４００を支持するチャンネルベース４０３に当接させる。
【００３４】
つぎに、第１の本体部１１１に設けられた第１の係合部１１３および第２の本体部１１２に設けられた第１の係合部１１３に、それぞれ、位置固定部材１２０に設けられた第２の係合部１２１を噛み合わせるようにして、治具本体１１０および位置固定部材１２０を重ね合わせる。そして、治具本体１１０および位置固定部材１２０を重ね合わせた状態で、治具本体１１０および位置固定部材１２０を貫通するようにして、スイッチギア４００およびチャンネルベース４０３に設けられた既設の孔にボルト１３０を螺合させる。
【００３５】
ボルト１３０を螺合させる際には、第１の貫通孔１１４の長さ方向に沿って、位置固定部材１２０を貫通させた状態のボルト１３０を、当該ボルト１３０が既設の孔に螺合できる位置に移動させる。第１の貫通孔１１４が長孔形状をなすため、第１の貫通孔１１４内においてボルト１３０を無段階に移動させることができる。これにより、既設の孔の位置にかかわらず、当該既設の孔を利用して、確実にスイッチギア４００を固定することができる。
【００３６】
第２の貫通孔１２２を、スイッチギア４００に既設の孔の内径寸法よりも大きく、ボルト１３０の頭部１３１の直径寸法よりも小さい寸法で開口させることにより、第１の係合部１１３と第２の係合部１２１とのかみ合い位置によって第２の貫通孔１２２の中心位置とボルト１３０の軸心位置とが一致しない場合にも、既設の孔を利用して、確実にスイッチギア４００を固定することができる。
【００３７】
この発明にかかる実施の形態１のロック治具１００は、ハウジング４０１内から機器を引き出す構造のスイッチギア４００の固定に用いるものに限らない。図５は、この発明にかかる実施の形態１のロック治具１００の別の使用例を示す説明図である。この発明にかかる実施の形態１のロック治具１００は、図５に示すように、各種の機器を収容するハウジング４０１における正面に、開閉扉５０１を備えた構成のスイッチギア４００に使用してもよい。
【００３８】
このようなスイッチギア４００においては、開閉扉５０１の正面側であって、開閉扉５０１の正面とスイッチギア４００の設置面５０２とがなす角部に、ロック治具１００を取り付ける。具体的には、上述と同様に、まず、治具本体１１０の外側に位置する２面のうちの一方の面をスイッチギア４００における開閉扉５０１の正面に当接させ、２面のうちの他方の面をスイッチギア４００の設置面５０２に当接させる。
【００３９】
つぎに、第１の本体部１１１に設けられた第１の係合部１１３および第２の本体部１１２に設けられた第１の係合部１１３に、それぞれ、位置固定部材１２０に設けられた第２の係合部１２１を噛み合わせるようにして、治具本体１１０および位置固定部材１２０を重ね合わせる。そして、治具本体１１０および位置固定部材１２０を重ね合わせた状態で、治具本体１１０および位置固定部材１２０を貫通するようにして、スイッチギア４００およびスイッチギア４００の設置面５０２に設けられた既設の孔にボルト１３０を螺合させる。
【００４０】
ボルト１３０を螺合させる際には、第１の貫通孔１１４の長さ方向に沿って、位置固定部材１２０を貫通させた状態のボルト１３０を、当該ボルト１３０が既設の孔に螺合できる位置に移動させる。第１の貫通孔１１４が長孔形状をなすため、第１の貫通孔１１４内においてボルト１３０を無段階に移動させることができる。これにより、既設の孔の位置にかかわらず、当該既設の孔を利用して、確実にスイッチギア４００を固定することができる。
【００４１】
第２の貫通孔１２２を、スイッチギア４００に既設の孔の内径寸法よりも大きく、ボルト１３０の頭部１３１の直径寸法よりも小さい寸法で開口させることにより、第１の係合部１１３と第２の係合部１２１とのかみ合い位置によって第２の貫通孔１２２の中心位置とボルト１３０の軸心位置とが一致しない場合にも、既設の孔を利用して、確実にスイッチギア４００を固定することができる。
【００４２】
以上説明したように、この発明にかかる実施の形態１の形態のロック治具１００は、長さ方向における途中部分で直角に屈曲したアングル形状をなし、屈曲により内側に位置する面において長さ方向に沿って突出部と没入部とが同一ピッチで交互に出現する波形形状をなす第１の係合部１１３と、治具本体１１０のアングル形状をなす２面にそれぞれ設けられて当該治具本体１１０を板厚方向に貫通し長さ方向に長い第１の貫通孔１１４と、を備えた治具本体１１０と、板形状をなし、一面において一方向に沿って第１の係合部と同一ピッチで突出部と没入部とが交互に出現する波形形状をなす第２の係合部１２１と、板厚方向に貫通する第２の貫通孔１２２と、を備えた複数の位置固定部材１２０と、を備えたことを特徴としている。
【００４３】
この発明にかかる実施の形態１のロック治具１００によれば、治具本体１１０の外側に位置する２面のうちの一方の面をスイッチギア４００の正面に当接させ、２面のうちの他方の面をスイッチギア４００を支持するチャンネルベース４０３に当接させ、第１の本体部１１１に設けられた第１の係合部１１３および第２の本体部１１２に設けられた第１の係合部１１３に、それぞれ、位置固定部材１２０に設けられた第２の係合部１２１を噛み合わせた状態で、治具本体１１０および位置固定部材１２０を貫通するようにして、スイッチギア４００およびチャンネルベース４０３に設けられた既設の孔にボルト１３０を螺合させることによって、スイッチギア４００を固定することができる。
【００４４】
第１の貫通孔１１４は治具本体１１０の長さ方向に長い長孔形状をなすため、第１の貫通孔１１４の長さ方向に沿ってボルト１３０を移動させることができ、これによってスイッチギア４００に設けられた既設の孔の位置に確実にボルト１３０を螺合することができる。これにより、既設の孔の位置にかかわらず、当該既設の孔を利用して、確実にスイッチギア４００を固定することができる。
【００４５】
また、治具本体１１０の長さ方向に沿って突出部と没入部とが同一ピッチで交互に出現する第１の係合部１１３と第２の係合部１２１とを噛み合わせた状態でボルト１３０を螺合させることにより、治具本体１１０に対する位置固定部材１２０の位置を確実に固定することができる。これにより、ボルト１３０を螺合した後に、当該ボルト１３０と治具本体１１０との位置関係がずれることを防止し、既設の孔を利用して、確実にスイッチギア４００を固定することができる。
【００４６】
また、第１の係合部１１３および第２の係合部１２１においては、突出部と没入部とが同一ピッチで交互に出現するため、第２の貫通孔１２２に挿入されたボルト１３０を第１の貫通孔１１４内において移動させることにともなって、位置固定部材１２０の位置を移動させた場合にも、第１の係合部１１３と第２の係合部１２１とを噛み合わせた状態でボルト１３０を螺合させることができる。これにより、ボルト１３０を螺合した後に、当該ボルト１３０と治具本体１１０との位置関係がずれることを確実に防止し、既設の孔を利用して、確実にスイッチギア４００を固定することができる。
【００４７】
そして、これにより、スイッチギア４００における既設の孔に位置を合わせたＬ形治具の作成が不要となり、同じ形状のロック治具１００を種類やサイズの異なる複数のスイッチギア４００に適用することができるため、ロック治具１００の製造や管理にかかるコストを抑えることができる。
【００４８】
また、この発明にかかる実施の形態１のロック治具１００は、第１の係合部１１３および第２の係合部１２１が、先端側ほど尖り根元側ほど幅広となる略三角形状をなす突出部と没入部とが同一ピッチで交互に出現する波形形状をなすことを特徴としている。
【００４９】
この発明にかかる実施の形態１のロック治具１００によれば、第１の係合部１１３と第２の係合部１２１とを噛み合わせた状態において、治具本体１１０と位置固定部材１２０とを互いに平面で接触させ、たとえば、位置固定部材１２０に対して、治具本体１１０の長さ方向に沿って位置をずらす方向への外力が加えられた場合に、当該外力を接触面を介して治具本体１１０に伝達し、位置固定部材１２０を治具本体１１０へ押しつけるように作用させることができる。これにより、ボルト１３０を螺合した後に、当該ボルト１３０と治具本体１１０との位置関係がずれることを確実に防止し、既設の孔を利用して、確実にスイッチギア４００を固定することができる。
【００５０】
また、この発明にかかる実施の形態１のロック治具１００によれば、突出部と没入部とを略三角形状とすることにより、第１の係合部１１３および第２の係合部１２１を、簡易な形状によって実現することができる。これにより、ロック治具１００の製造の容易化を図ることができる。
【００５１】
＜実施の形態２＞
つぎに、この発明にかかる実施の形態２のロック治具について説明する。実施の形態２においては、上述した実施の形態１と同一部分は同一符号で示し、説明を省略する。図６〜図８は、この発明にかかる実施の形態２のロック治具の構成を示す説明図である。図６においては、この発明にかかる実施の形態２のロック治具を分解した斜視状態を示している。図７においては、この発明にかかる実施の形態２のロック治具の一部を示している。図８においては、この発明にかかる実施の形態２のロック治具の外観を示している。
【００５２】
図６〜図８において、この発明にかかる実施の形態２のロック治具６００は、治具本体１１０と位置固定部材６２０とを備えている。治具本体１１０は、両側面に第１の係合部１１３を備えている。両側面に設けられた第１の係合部１１３は、治具本体１１０の幅方向において、内側に位置する面に設けられた第１の係合部１１３がなす波形形状に連続している。
【００５３】
位置固定部材６２０は、突出部と没入部との出現方向に直交する方向における２カ所で屈曲した略コの字形状をなす。位置固定部材６２０は、略コの字形状に屈曲した形状により内側に位置する面のすべての面に、第２の係合部１２１を備えている。位置固定部材６２０が備える第２の係合部１２１は、略コの字形状をなす３面が連なる方向に沿って連続している。
【００５４】
このようなロック治具６００は、実施の形態１のロック治具６００と同様にして、スイッチギア４００に取り付けて使用することができる。具体的には、まず、治具本体１１０の外側に位置する２面のうちの一方の面をスイッチギア４００の正面に当接させ、２面のうちの他方の面をスイッチギア４００を支持するチャンネルベース４０３に当接させる。
【００５５】
つぎに、第１の本体部１１１に設けられた第１の係合部１１３および第２の本体部１１２に設けられた第１の係合部１１３に、それぞれ、位置固定部材６２０に設けられた第２の係合部１２１を噛み合わせるようにして、治具本体１１０および位置固定部材６２０を重ね合わせる。このとき、位置固定部材６２０を、治具本体１１０に被せるようにして、当該治具本体１１０に取り付ける。
【００５６】
そして、治具本体１１０および位置固定部材６２０を重ね合わせた状態で、治具本体１１０および位置固定部材６２０を貫通するようにして、スイッチギア４００およびチャンネルベース４０３に設けられた既設の孔にボルト１３０を螺合させる。第１の貫通孔１１４が長孔形状をなすため、第１の貫通孔１１４内においてボルト１３０を無段階に移動させることができ、既設の孔の位置にかかわらず、当該既設の孔を利用して、確実にスイッチギア４００を固定することができる。
【００５７】
以上説明したように、この発明にかかる実施の形態２のロック治具６００は、位置固定部材６２０が、突出部と没入部との出現方向に直交する方向における２カ所で屈曲した略コの字形状をなし、屈曲により内側に位置する面における少なくとも中央の面に第２の係合部１２１を備えたことを特徴としている。
【００５８】
この発明にかかる実施の形態２のロック治具６００によれば、位置固定部材６２０を、治具本体１１０に被せるようにして、当該治具本体１１０に取り付けることにより、治具本体１１０に対して、幅方向に沿って位置固定部材６２０が移動することを防止できる。これにより、ボルト１３０を螺合した後に、当該ボルト１３０と治具本体１１０との位置関係がずれることを一層確実に防止し、既設の孔を利用して、確実にスイッチギア４００を固定することができる。
【００５９】
また、この発明にかかる実施の形態２のロック治具６００は、治具本体１１０が、両側面に第１の係合部１１３を備え、位置固定部材６２０が、屈曲により内側に位置するすべての面に第２の係合部１２１を備えたことを特徴としている。
【００６０】
この発明にかかる実施の形態２のロック治具６００によれば、治具本体１１０および位置固定部材６２０における３面において、第１の係合部１１３と第２の係合部１２１とをそれぞれ噛み合わせることができる。これにより、ロック治具６００を大型化することなく、第１の係合部１１３と第２の係合部１２１とが噛み合う面積を確保することができ、ボルト１３０を螺合した後に、当該ボルト１３０と治具本体１１０との位置関係がずれることを一層確実に防止し、既設の孔を利用して、確実にスイッチギア４００を固定することができる。
【００６１】
上述した実施の形態２においては、屈曲により内側に位置するすべての面に第２の係合部１２１を備えた位置固定部材６２０を備えたロック治具６００について説明したが、これに限るものではない。この発明にかかるロック治具においては、治具本体１１０における少なくとも一方の側面に第１の係合部１１３を備え、位置固定部材６２０における屈曲により内側に位置する面のうち、治具本体１１０における第１の係合部１１３が設けられた側面に対向する面に第２の係合部１２１を備えた構成であってもよい。
【００６２】
このような構成のロック治具においても、治具本体１１０および位置固定部材６２０における２面において、第１の係合部１１３と第２の係合部１２１とをそれぞれ噛み合わせることができる。これにより、ロック治具を大型化することなく、第１の係合部１１３と第２の係合部１２１とが噛み合う面積を確保することができ、ボルト１３０を螺合した後に、当該ボルト１３０と治具本体１１０との位置関係がずれることを一層確実に防止し、既設の孔を利用して、確実にスイッチギア４００を固定することができる。
【００６３】
また、実施の形態２のロック治具６００においては、突出部と没入部との出現方向に直交する方向における２カ所で屈曲した略コの字形状をなす位置固定部材６２０において、屈曲により内側に位置する面における少なくとも中央の面に第２の係合部１２１を備えていればよい。
【００６４】
このような構成のロック治具６００によれば、位置固定部材６２０を、治具本体１１０に被せるようにして、当該治具本体１１０に取り付けることにより、治具本体１１０に対して、幅方向に沿って位置固定部材６２０が移動することを防止できる。これにより、ボルト１３０を螺合した後に、当該ボルト１３０と治具本体１１０との位置関係がずれることを一層確実に防止し、既設の孔を利用して、確実にスイッチギア４００を固定することができる。
【００６５】
また、上述した実施の形態１および実施の形態２においては、略三角形状をなす突出部と没入部とが同一ピッチで交互に出現する波形形状をなす第１の係合部１１３を備えたロック治具１００、６００について説明したが、波形形状は、略三角形状をなす突出部と没入部とによって構成されるものに限らない。具体的には、第１の係合部１１３は、たとえば、先端側と根元側とが同寸法の矩形状をなす突出部と没入部とが同一ピッチで交互に出現する波形形状をなすものであってもよい。
【００６６】
このような構成のロック治具によれば、第１の係合部１１３と第２の係合部１２１とを噛み合わせた状態において、治具本体１１０と位置固定部材６２０とを互いに平面で接触させ、たとえば、位置固定部材６２０に対して、治具本体１１０の長さ方向に沿って位置をずらす方向への外力が加えられた場合に、当該外力を接触面を介して治具本体１１０に伝達し、位置固定部材６２０を治具本体１１０へ押しつけるように作用させることができる。これにより、ボルト１３０を螺合した後に、当該ボルト１３０と治具本体１１０との位置関係がずれることを確実に防止し、既設の孔を利用して、確実にスイッチギア４００を固定することができる。
【００６７】
また、このような構成のロック治具によれば、突出部と没入部とを矩形状とすることにより、加えられた外力の向きにかかわらず当該外力の向きを治具本体１１０の長さ方向に変え、接触面を介して治具本体１１０に伝達することができる。これにより、ボルト１３０を螺合した後に、当該ボルト１３０と治具本体１１０との位置関係がずれることを確実に防止し、既設の孔を利用して、確実にスイッチギア４００を固定することができる。
【産業上の利用可能性】
【００６８】
以上のように、この発明にかかるロック治具は、スイッチギアの位置を固定するロック治具に有用であり、特に、スライド式のスイッチギアの位置を固定するロック治具に適している。
【符号の説明】
【００６９】
１００、６００  ロック治具
１１０  治具本体
１１３  第１の係合部
１１４  第１の貫通孔
１２０  位置固定部材
１２１  第２の係合部
１２２  第２の貫通孔
１３０  ボルト
４００  スイッチギア
４０１  ハウジング
【図１】
2020124095.tif 000003
【図２】
2020124095.tif 000004
【図３】
2020124095.tif 000005
【図４】
2020124095.tif 000006
【図５】
2020124095.tif 000007
【図６】
2020124095.tif 000008
【図７】
2020124095.tif 000009
【図８】
2020124095.tif 000010